(57)【特許請求の範囲】
【請求項１】
被乾燥物を収納し後面で回転自在に軸支される回転ドラムと、前記回転ドラムの前面で前記回転ドラムを摺動支持する外周フランジ部を有する円環状の回転ドラムの軸受け部と、前記回転ドラムを駆動するモータと、前記回転ドラム内の被加熱物を加熱する加熱装置と、前記回転ドラムを覆い前面に開口部を有するボデーと、前記ボデーの開口部を閉塞する蓋と、前記蓋の閉塞時の気密を保持する第１のパッキングと、前記第１のパッキングを装着する内蓋と、前記ボデーと前記回転ドラムの軸受け部との気密を保持する第２のパッキングとを備え、前記第１のパッキングの前記回転ドラム内への臨接面は、前記ボデーの開口部のコーナー部に当接し、かつ、前記内蓋に一体に設けられ前記回転ドラムの内方へ凸の環状リブと前記第２のパッキング内周部とに覆われ前記回転ドラム内の被乾燥物が接触しない程度に露出しないようにした衣類乾燥機。
【発明の詳細な説明】
【０００１】
【産業上の利用分野】
本発明は、被加熱物を収納した回転ドラムをモータにより駆動し、加熱装置により回転ドラム内の被乾燥物を乾燥する衣類乾燥機に関する。
【０００２】
【従来の技術】
従来、この種の衣類乾燥機は、図３に示すように構成していた。以下、その構成について説明する。
【０００３】
図に示すように、ボデー１０１は、乾燥機本体の外郭を形成するもので、内部に衣類（被乾燥物）を収納する回転ドラム１０２を回転自在に設け、この回転ドラム１０２をモータ１０３により駆動する。蓋１０４は、不透明材で形成されボデー１０６を有し、鉄板などの不燃材により形成された中蓋１０７を内蓋１−５を介してねじなどにより固着していた。
【０００４】
【発明が解決しようとする課題】
しかしながら、ボデー１０１の開口部を気密保持して閉塞するパッキング１０６は、回転ドラム１０２の内側より保護するものがないため、回転ドラム１０２内に露出した状態となり、被乾燥物の摩擦により摩耗し破談する恐れがあった。
【０００５】
本発明は上記課題を解決するもので、ボデーの開口部を気密保持するパッキングの被乾燥物の摺動摩擦による摩耗を防止し、耐久性を向上させることを目的としている。
【０００６】
【課題を解決するための手段】
本発明は、上記課題を解決するために、被乾燥物を収納し後面で回転自在に軸支される回転ドラムと、前記回転ドラムの前面で前記回転ドラムを摺動支持する外周フランジ部を有する円環状の回転ドラムの軸受け部と、前記回転ドラムを駆動するモータと、前記回転ドラム内の被加熱物を加熱する加熱装置と、前記回転ドラムを覆い前面に開口部を有するボデーと、前記ボデーの開口部を閉塞する蓋と、前記蓋の閉塞時の気密を保持する第１のパッキングと、前記第１のパッキングを装着する内蓋と、前記ボデーと前記回転ドラムの軸受け部との気密を保持する第２のパッキングとを備え、前記第１のパッキングの前記回転ドラム内への臨接面は、前記ボデーの開口部のコーナー部に当接し、かつ、前記内蓋に一体に設けられ前記回転ドラムの内方へ凸の環状リブと前記第２のパッキング内周部とに覆われ前記回転ドラム内の被乾燥物が接触しない程度に露出しないようにしたことを課題解決手段としている。
【０００７】
【作用】
本発明は上記した課題解決手段により、第１パッキングの回転ドラム内への臨接面は、内蓋に設けられた環状リブと第２のパッキングの内周部とにより覆われているため、回転ドラム内に露出せず、被乾燥物の摺動摩擦による第１のパッキングの摩耗が防止でき、耐久性を向上させることができる。
【０００８】
【実施例】
以下、本発明の第１の実施例を図１から図３を参照しながら説明する。
【０００９】
図１に示すように、ボデー１は、内部に衣類を攪拌するリフターを有する回転ドラム２を回転自在に設け、回転ドラム２は、ボデー１内の後面で回転自在に軸支され、前面で円環状の回転ドラム支持板（軸受け部）３の外周フランジ部で摺動支持し、モータ４、ドラムベルト５によって駆動され、ＰＴＣヒータ（加熱装置）６により回転ドラム２内に流入する乾燥用空気を加熱する。ボデー１の前面には衣類を投入する開口部７を設け、この開口部７を開閉する蓋８をボデー１に回動自在に係止している。
【００１０】
蓋８は、図２に示すように、略中央部に凹部９とこの凹部９内の穴である窓部１０とを一体に形成した外蓋１１と、この凹部９に爪などにより嵌合保持される透明樹脂製の窓カバー１２と、外蓋１１の裏面側で窓部１０の近傍に設けた保持用リブ（リブ）１３に外周端部を保持される耐熱ガラス製の窓ガラス１４と、この窓ガラス１４と対応する位置で略同等の透孔１５を有し、開口部７と略同等の大きさで鉄板などの不燃材からなる中蓋１６と、外周に開口部７を気密保持する第１パッキング１７を装着した透明樹脂製の内蓋１８とから構成されており、外側より窓カバー１２、窓ガラス１４、内蓋１８からなる３重構造の覗き窓１９を備えている。内蓋１８は、外蓋１１に設けられたボスに中蓋１６を挟み込んでねじなどにより固着され、窓ガラス１４を押圧している。
【００１１】
上記構成において作用を説明すると、被乾燥物を収納し乾燥させる回転ドラム２の開口部７を閉塞する蓋８は、透明樹脂製の窓カバー１２、耐熱ガラス製の窓ガラス１４、透明樹脂製の内蓋１８から形成された３重構造の覗き窓１９を備えているため、回転ドラム２内の被乾燥物の乾燥状態を可視できるようになり使用性を向上させることができる。
【００１２】
また、蓋８は、外蓋１１の略中央部の凹部９に嵌合保持される透明樹脂製の窓カバー１２を爪などにより保持し、この外蓋１１の裏側に保持用リブ（リブ）１３で位置決めされた耐熱ガラス製の窓ガラス１４、不燃材からなる中蓋１６、透明樹脂製の内蓋１８を順次積層する構成となっているため、組立および分解作業性がきわめてよく、組立工数の削減や組立の自動化およびサービス性の向上を図ることができる。
【００１３】
また窓ガラス１４は、樹脂製の外蓋１１と内蓋１８とにより押圧保持されているため、金属などの保持に対し応力を小さくでき、窓ガラス１４の割れ、欠けなどを防止することができる。
【００１４】
また、内蓋１８が透明樹脂により覗き窓１９を形成しているため、一般的に考えられる窓部の気密を保持するための複雑なシール構成が不要となり、部品点数や組立工数の削除が図られ、さらに、蓋８の気密の信頼性を確保することができる。
【００１５】
また、回転ドラム２内の被乾燥物の低温発火時には、ボデー１の開口部７と同等の大きさの不燃物からなる中盤１６とその透孔１５をカバーする耐熱ガラス製の窓ガラス１４とにより、開口部７からの発火を防止でき、類焼を防止することができる。
【００１６】
つぎに、本発明の第２の実施例を図２を参照しながら説明する。なお、上記第１の実施例と同じ構成の物は同一符号を付して説明を省略する。
【００１７】
図に示すように、第２パッキング２０は、ボデー１と回転ドラム支持板（軸受け部）３との気密を保持している。第１のパッキング１７の回転ドラム２内への臨接面２１は、この第２のパッキング２０の内周部２２と樹脂製の内蓋１８に一体に設けた環状リブ２３とにより覆われ、回転ドラム２内に衣類などの被乾燥物が接触しない程度の可視可能な状態で露出しないようにしている。
【００１８】
上記構成において作用を説明すると、第１パッキング１７の回転ドラム２内への臨接面２１は、内蓋１８に設けた環状リブ２３と第２のパッキング２０の内周部２２とにより覆われているため、回転ドラム２内に露出せず、第１パッキング１７と被乾燥物の接触を防止することができ、被乾燥物の摺動摩擦による第１のパッキング１７の摩耗を防止でき、耐久性を向上させることができる。
【００１９】
また、被乾燥物の摺動摩擦による第１パッキング１７の摩耗が防止できるので、第１のパッキング１７に対し対摩耗性の低い低コストの材料の使用が可能となることはいうまでもない。
【００２０】
【発明の効果】
以上のように本発明は、被乾燥物を収納し後面で回転自在に軸支される回転ドラムと、前記回転ドラムの前面で前記回転ドラムを摺動支持する外周フランジ部を有する円環状の回転ドラムの軸受け部と、前記回転ドラムを駆動するモータと、前記回転ドラム内の被加熱物を加熱する加熱装置と、前記回転ドラムを覆い前面に開口部を有するボデーと、前記ボデーの開口部を閉塞する蓋と、前記蓋の閉塞時の気密を保持する第１のパッキングと、前記第１のパッキングを装着する内蓋と、前記ボデーと前記回転ドラムの軸受け部との気密を保持する第２のパッキングとを備え、前記第１のパッキングの前記回転ドラム内への臨接面は、前記ボデーの開口部のコーナー部に当接し、かつ、前記内蓋に一体に設けられ前記回転ドラムの内方へ凸の環状リブと前記第２のパッキング内周部とに覆われ前記回転ドラム内の被乾燥物が接触しない程度に露出しないようにしたから、被乾燥物の摺動摩擦による第１のパッキングの摩耗が防止でき、耐久性を向上させることができる。
【図面の簡単な説明】
【図１】  本発明の第１の実施例の衣類乾燥機の縦断面図
【図２】  同衣類乾燥機の蓋の分解斜視図
【図３】  同衣類乾燥機の要部拡大断面図
【図４】  本発明の第２の実施例の衣類乾燥機の要部断面図
【図５】  従来の衣類乾燥機の縦断面図
【符号の説明】
１  ボデー
２  回転ドラム
４  モータ
６  ＰＴＣヒータ（加熱装置）
７  開口部
８  蓋
１２  窓カバー
１３  保持用リブ（リブ）
１４  窓ガラス
１５  透孔
１６  中蓋
１８  内蓋
１９  覗き窓
【図１】
0003674968.tif 000002
【図２】
0003674968.tif 000003
【図３】
0003674968.tif 000004
【図４】
0003674968.tif 000005
【図５】
0003674968.tif 000006